(57)【要約】      （修正有）【課題】ユニークな絵柄パターンを有する偽造防止用印刷物を提供すること、および、その偽造防止用印刷物の真贋判定方法を提供する。【解決手段】偽造防止用印刷物は、支持体の上に、隠蔽層１７０、ラメインキ層１６０および絵柄印刷層１４０がこの順に積層された偽造防止用印刷物であって、隠蔽層１７０は、樹脂により被覆された金属粒子を含有したインキで形成されており、ラメインキ層１６０は、樹脂により被覆されていない金属粒子を含有したインキで形成されており、絵柄印刷層１４０には、不規則かつユニークな絵柄パターンが形成されている。【選択図】図２
2020179544.tif 000002
【特許請求の範囲】
【請求項１】
支持体の上に、隠蔽層、ラメインキ層および絵柄印刷層がこの順に積層された偽造防止用印刷物であって、
前記隠蔽層は、樹脂により被覆された金属粒子を含有したインキで形成されており、
前記ラメインキ層は、樹脂により被覆されていない金属粒子を含有したインキで形成されており、  前記絵柄印刷層には、不規則かつユニークな絵柄パターンが形成されている、偽造防止用印刷物。
【請求項２】
前記不規則かつユニークな絵柄パターンは、稲妻模様またはジグザグ形状を含んで構成される、請求項１に記載の偽造防止用印刷物。
【請求項３】
前記不規則かつユニークな絵柄パターンは、絵柄印刷層を形成するインキが部分的に除去されることにより形成されている、請求項１または請求項２に記載の偽造防止用印刷物。
【請求項４】
前記ラメインキ層の面積は、前記絵柄印刷層の面積よりも小さく形成されている、請求項１から請求項３のいずれか一項に記載の偽造防止用印刷物。
【請求項５】
前記ラメインキ層に含有される、金属粒子の粒径は、前記隠蔽層に含有される、樹脂により被覆された金属粒子の粒径よりも大きい、請求項１から請求項４のいずれか一項に記載の偽造防止用印刷物。
【請求項６】
前記絵柄印刷層の前記ラメインキ層とは反対の側に、透明な保護層がさらに形成されている、請求項１から請求項５のいずれか一項に記載の偽造防止用印刷物。
【請求項７】
記憶手段を有するＩＣチップをさらに備え、
前記記憶手段には、前記偽造防止用印刷物を特定する固有データが読み出し可能に保存されており、
前記固有データは、前記不規則かつユニークな絵柄パターンを電気的、光学的または磁気的な検出手段によって読み取ったときのデジタルデータと対応付けられている、請求項１から請求項６のいずれか一項に記載の偽造防止用印刷物。
【請求項８】
前記偽造防止用印刷物の前記固有データを、前記偽造防止用印刷物の前記不規則かつユニークな絵柄パターンを電気的、光学的または磁気的な検出手段によって読み取ったデジタルデータと比較照合することにより、前記偽造防止用印刷物の改ざんの有無を判断することが可能である、請求項７に記載の偽造防止用印刷物。
【請求項９】
請求項１から請求項８のいずれか一項に記載の偽造防止用印刷物を構成するＩＣカード。
【請求項１０】
請求項１から請求項８のいずれか一項に記載の偽造防止用印刷物を構成する粘着ラベル。
【請求項１１】
請求項１から請求項８のいずれか一項に記載の偽造防止用印刷物を構成する冊子体。
【請求項１２】
支持体の上に、隠蔽層、ラメインキ層および絵柄印刷層がこの順に積層された偽造防止用印刷物であり、
前記隠蔽層は、樹脂により被覆された金属粒子を含有したインキで形成されており、
前記ラメインキ層は、樹脂により被覆されていない金属粒子を含有したインキで形成されており、
前記絵柄印刷層には、不規則かつユニークな絵柄パターンが形成されており、
前記偽造防止用印刷物の固有データが記憶されている記憶手段、を有するＩＣチップを備えている、偽造防止用印刷物の真贋判定方法であって、
リーダライターによって、前記ＩＣチップの前記記憶手段に保存されている前記偽造防止用印刷物の固有データを読み出す工程と、
前記偽造防止用印刷物の前記不規則かつユニークな絵柄パターンを電気的、光学的または磁気的な検出手段によってデジタルデータとして読み取る工程と、
比較照合手段によって、前記固有データが前記デジタルデータと対応づけられているか否かを比較照合する工程と、
結果出力手段によって、前記固有データが、前記デジタルデータと対応づけられているか否かについての比較照合結果を出力する工程と、を備える、偽造防止用印刷物の真贋判定方法。
【発明の詳細な説明】
【技術分野】
【０００１】
本発明は、クレジットカード、セキュリティラベル、冊子体等の偽造防止用印刷物において、偽造や改ざんを抑制することができる絵柄パターンの形成技術に関する。
【背景技術】
【０００２】
カード等の分野では、カード券面の絵柄の中にマイクロ文字や狭ピッチの万線を印刷したり、表面にホログラムラベルを貼る等して、偽造防止を図っているものが多い。しかし、この場合は、同一の券面デザインのカードが多数存在することになるため、例えば期限切れ等で無効となったカードのＩＤ番号等のみを改ざんして別の有効なカードに見せかけて使用することが比較的容易にできてしまう問題がある。これに対して、各々のカードがユニークな外観または特性を有することにより、別のカードに見せかけて使用することが困難なカード等が提案されている。
【０００３】
特許文献１は、識別材料となる染顔料、繊維状物質、球状微粒子、金属微粒子からなる少なくとも１種以上の材料をランダムパターンとなるようにカード等の支持体の中に内添または塗工した情報識別シートである。また、特許文献２は、カードのコアシートの一方の面に磁性粒子と、磁性粒子よりも大きい粒径により形成される磁気固有情報とを表す磁気データ部を設けたカードである。
【先行技術文献】
【特許文献】
【０００４】
【特許文献１】特開平６−８６７９号公報
【特許文献２】特開平８−９９４８５号公報
【発明の概要】
【発明が解決しようとする課題】
【０００５】
これらはいずれも、各々のカードにおける特定物質、特定粒子がランダムに配置されることを利用して、その配置パターンのユニーク性により偽造防止を図るものである。しかし、このような条件を満たすためには、インキの配合等の点でカードの券面デザインが制約されたり、識別用の特殊な層を追加で設ける必要がある等、デザインの自由度、製品仕様の複雑化、製造負荷、コストの面で適切とはいえない場合もある。
【０００６】
本開示はこのような状況に鑑みてなされたものであり、ユニークな絵柄パターンを有する偽造防止用印刷物を提供すること、および、その偽造防止用印刷物の真贋判定方法を提供することを課題とする。
【課題を解決するための手段】
【０００７】
本実施の形態による偽造防止用印刷物は、支持体の上に、隠蔽層、ラメインキ層および絵柄印刷層がこの順に積層された偽造防止用印刷物であって、前記隠蔽層は、樹脂により被覆された金属粒子を含有したインキで形成されており、前記ラメインキ層は、樹脂により被覆されていない金属粒子を含有したインキで形成されており、前記絵柄印刷層には、不規則かつユニークな絵柄パターンが形成されている。
【０００８】
また、本実施の別の形態による偽造防止用印刷物は、前記不規則かつユニークな絵柄パターンは、稲妻模様またはジグザグ形状を含んで構成されていてもよく、前記不規則かつユニークな絵柄パターンは、絵柄印刷層を形成するインキが部分的に除去されることにより形成されていてもよい。
【０００９】
また、本実施の別の形態による偽造防止用印刷物は、前記ラメインキ層の面積は、前記絵柄印刷層の面積よりも小さく形成されていてもよい。
【００１０】
また、本実施の別の形態による偽造防止用印刷物は、前記ラメインキ層に含有される、金属粒子の粒径は、前記隠蔽層に含有される、樹脂により被覆された金属粒子の粒径よりも大きくてもよい。
【００１１】
また、本実施の別の形態による偽造防止用印刷物は、前記絵柄印刷層の前記ラメインキ層とは反対の側に、透明な保護層がさらに形成されていてもよい。
【００１２】
また、本実施の別の形態による偽造防止用印刷物は、記憶手段を有するＩＣチップをさらに備え、前記記憶手段には、前記偽造防止用印刷物を特定する固有データが読み出し可能に保存されており、前記固有データは、前記不規則かつユニークな絵柄パターンを電気的、光学的または磁気的な検出手段によって読み取ったときのデジタルデータと対応付けられていてもよい。
【００１３】
また、本実施の別の形態による偽造防止用印刷物は、前記偽造防止用印刷物の前記固有データを、前記偽造防止用印刷物の前記不規則かつユニークな絵柄パターンを電気的、光学的または磁気的な検出手段によって読み取ったデジタルデータと比較照合することにより、前記偽造防止用印刷物の改ざんの有無を判断することが可能であってもよい。
【００１４】
また、本実施の別の形態による偽造防止用印刷物を構成するものは、ＩＣカード、粘着ラベル、または、冊子体でもよい。
【００１５】
本実施の形態による偽造防止用印刷物の真贋判定方法は、支持体の上に、隠蔽層、ラメインキ層および絵柄印刷層がこの順に積層された偽造防止用印刷物であり、前記隠蔽層は、樹脂により被覆された金属粒子を含有したインキで形成されており、前記ラメインキ層は、樹脂により被覆されていない金属粒子を含有したインキで形成されており、前記絵柄印刷層には、不規則かつユニークな絵柄パターンが形成されており、前記偽造防止用印刷物の固有データが記憶されている記憶手段、を有するＩＣチップを備えている、偽造防止用印刷物の検査方法であって、リーダライターによって、前記ＩＣチップの前記記憶手段に保存されている前記偽造防止用印刷物の固有データを読み出す工程と、前記偽造防止用印刷物の前記不規則かつユニークな絵柄パターンを電気的、光学的または磁気的な検出手段によってデジタルデータとして読み取る工程と、比較照合手段によって、前記固有データが前記デジタルデータと対応づけられているか否かを比較照合する工程と、結果出力手段によって、前記固有データが、前記デジタルデータと対応づけられているか否かについての比較照合結果を出力する工程と、を備える。
【発明の効果】
【００１６】
本実施の形態によれば、ユニークな絵柄パターンを有する偽造防止用印刷物を提供すること、および、その偽造防止用印刷物の真贋判定方法を提供することができる。
【図面の簡単な説明】
【００１７】
【図１】第１実施形態のカードの構造を説明する断面図および平面図である。
【図２】図１におけるユニークパターン形成部の拡大断面図である。
【図３】ラメインキ層の拡大断面図である。
【図４】ラメインキ層を示す写真である。
【図５】隠蔽層の拡大断面図である。
【図６】ユニークパターンの一例を示す写真である。
【図７】ユニークパターンの一例を示す図である。
【図８】ユニークパターンを説明する拡大断面図である。
【図９】ユニークパターンの形成工程を説明する図である。
【図１０】透明な保護層を設けた変形例（１）を示す断面図である。
【図１１】ラメインキ層の領域を変えた変形例（２）を示す断面図である。
【図１２】偽造防止用印刷物が粘着ラベルである変形例（３）を示す断面図である。
【図１３】偽造防止用印刷物が冊子体である変形例（４）を示す斜視図である。
【図１４】偽造防止用印刷物がＩＣカードである変形例（５）を示す平面図である。
【図１５】第２実施形態の真贋判定システムの構成を示す概略図である。
【図１６】第２実施形態の真贋判定システムの認証情報の登録フローである。
【図１７】第２実施形態の真贋判定システムの認証作業のフローである。
【発明を実施するための形態】
【００１８】
以下、図面等を参照して、本開示のユニークな絵柄パターンを有する偽造防止用印刷物、およびその偽造防止用印刷物の真贋判定方法の一例について説明する。ただし、本開示のユニークな絵柄パターンを有する偽造防止用印刷物、およびその偽造防止用印刷物の真贋判定方法は、以下に説明する実施形態や実施例には限定されない。
【００１９】
なお、以下に示す各図は、模式的に示したものである。そのため、各部の大きさ、形状は理解を容易にするために、適宜誇張している。また、各図において、部材の断面を示すハッチングを適宜省略する。本明細書中に記載する各部材の寸法等の数値および材料名は、実施形態としての一例であり、これに限定されるものではなく、適宜選択して使用することができる。本明細書において、形状や幾何学的条件を特定する用語、例えば平行や直交、垂直等の用語については、厳密に意味するところに加え、実質的に同じ状態も含むものとする。
【００２０】
１．第１実施形態
本開示のユニークな絵柄パターンを有する偽造防止用印刷物の第１実施形態について説明する。図１は、第１実施形態の偽造防止用印刷物１０であるカード１０Ａの一例を示す断面図および平面図である。図２は、図１のユニークパターン形成部１Ａの部分の詳細を示す拡大断面図である。
【００２１】
（ａ）カードの構成
図１（ａ）に示すとおり、カード１０Ａは本開示の偽造防止用印刷物１０の一例であり、中央にコア層４およびコア層５が、互いの一方の主面どうしが隣接するように積層されている。また、コア層４およびコア層５の、互いに隣接していない他方の主面側には、それぞれ、オーバーシート層３およびオーバーシート層６が積層されている。さらに、オーバーシート層３の、コア層４と隣接していない方の主面側には、複数の印刷層が積層されて構成されているユニークパターン形成部１Ａが積層形成されている。言い換えると、オーバーシート層６、コア層５、コア層４、オーバーシート層３およびユニークパターン形成部１Ａが、この順に積層されている。ユニークパターン形成部１Ａは、本開示の偽造防止用印刷物１０に形成されるユニークパターン形成部１の一例である。また、図１（ｂ）は、カード１０Ａを、ユニークパターン形成部１Ａが配置されている側から見た平面図であるが、ユニークパターン形成部１Ａはカード１０Ａの表面全体に形成され、カード１０Ａの全体が図１（ａ）に示すような積層構造を有している。ただし、後述するように、当該ユニークパターン形成部１Ａは、カード１０Ａの一部の領域にのみ形成されていてもよい。
【００２２】
ユニークパターン形成部１Ａは、印刷層が複数層重なって形成されているものであるため、これを形成するための母体となる支持体を必要とする。本実施形態ではオーバーシート層３が支持体２の一例であるが、支持体２はこれに限定されるものではなく、例えばオーバーシート層３とコア層４の積層体、あるいは、オーバーシート層３、６、コア層４、５の積層体を支持体２と考えてもよい。以下、カード１０Ａの各構成について説明する。
【００２３】
（ｉ）コア層
コア層４、５としては、白色または着色した各種のプラスチックシートを幅広く使用することができ、以下にあげる単独のフィルムあるいはそれらの複合フィルムを使用できる。例えば、ポリエチレンテレフタレート（ＰＥＴ）、ＰＥＴ−Ｇ（テレフタル酸−シクロヘキサンジメタノール−エチレングリコール共重合体）、ポリ塩化ビニル、塩化ビニル−酢酸ビニル共重合体、ポリカーボネート、ポリアミド、ポリイミド、セルロースジアセテート、セルローストリアセテート、ポリスチレン系、ＡＢＳ、ポリアクリル酸エステル、ポリプロピレン、ポリエチレン、ポリウレタン、等である。コアシートの厚さは、カードの全体厚さを勘案して適宜に選択することができるが、例えば、０．２５ｍｍ〜０．３８ｍｍ程度とすることができる。
【００２４】
また、ユニークパターン形成部１Ａが形成されない側のコア層５の、コア層４と隣接しない主面側には、適宜印刷層を設けてもよい。この場合、後述するオーバーシート層６が透明基材であれば、当該印刷層が保護されるため、印刷された絵柄の視認性を良好に確保しつつ、絵柄部分の耐擦過性や耐薬品性等を向上させることができる。
【００２５】
（ｉｉ）オーバーシート層
オーバーシート層３、６としては、通常、コア層と同質の材料を使用するが、厚さが０．０５〜０．１０ｍｍ程度の透明材料が使用されることが多い。コア層およびオーバーシート層の積層体を熱プレス等で一体化する際のカールの発生を防止する観点からは、オーバーシート層３および６の厚さが同一であることが好ましいが、必ずしも同一ではなくてもよい。オーバーシート層の材料は、熱により接着性を有するものであればよいが、オーバーシート層自体が熱による接着性を有しない場合でも、熱等により接着力を発生させる公知の接着剤の層をコア層およびオーバーシート層の間に追加形成することで両者を一体化できる。また、カード１０Ａを磁気カードとして使用する場合には、オーバーシート層３、６のいずれかまたは両方について、コア層４、５とは反対の主面側に磁気テープを熱転写等によりあらかじめ埋め込んでおいてもよい。
【００２６】
（ｉｉｉ）ユニークパターン形成部
図２は、図１に示したカード１０Ａの最外層に配置されるユニークパターン形成部１Ａの詳細構成を示す拡大断面図である。ユニークパターン形成部１Ａは、偽造防止用印刷物１０に形成されるユニークパターン形成部１の一例である。図２（ａ）に示すとおり、ユニークパターン形成部１Ａは、オーバーシート層３に近い側から隠蔽層１７０、ラメインキ層１６０、アンカー層１５０、絵柄印刷層１４０、アンカー層１３０および剥離層１２０がこの順に積層されて形成されている。したがって、このような層構成を有する隠蔽積層部１Ａが、図１（ｂ）に示すようにカード１０Ａの表面の全域に形成されている。
【００２７】
なお、図２（ｂ）は、図２（ａ）の層構成に破線で示した転写基材１１０を加えた図である。転写基材１１０は、当該ユニークパターン形成部１Ａには含まれない。しかし、支持体２であるオーバーシート層３に対してユニークパターン形成部１Ａを積層形成する準備段階として、後述するとおり、あらかじめ転写基材１１０に対して、剥離層１２０、アンカー層１３０、絵柄印刷層１４０、アンカー層１５０、ラメインキ層１６０および隠蔽層１７０をこの順に印刷形成することがあり、図２（ｂ）は、このときの転写基材１１０の配置を含めた断面図を示している。この場合、あらかじめオーバーシート層６、コア層５、コア層４およびオーバーシート層３をこの順に重ねた積層体の状態に準備しておき、さらに印刷形成された転写基材１１０をこれに重ねてから、熱プレスを行う。オーバーシート層３、６は熱により接着性を有する。このことによって、転写基材１１０に形成されたユニークパターン形成部１Ａを確実に当該積層体側に転写することができ、かつ、コア層とオーバーシート層とが一体化された積層体を得ることができる。なお、熱プレス後に、ユニークパターン形成部１Ａを含まない転写基材１１０は、当該積層体から剥がされて回収される。
【００２８】
ただし、当該ユニークパターン形成部１Ａの形成は上述の方法に限られるものではなく、例えば、直接オーバーシート層３、またはオーバーシート層３、６とコア層４、５との積層体に対して、順次、ユニークパターン形成部１Ａの各層の印刷を重ねることにより形成してもよい。以下に、ユニークパターン形成部１Ａを構成する各印刷層について説明する。
【００２９】
（ｉｖ）ラメインキ層
ラメインキは、独特の金属的な光輝感を有する光輝性カードに用いられるものであり、特にクレジットカード等の分野では、このような高級感や高意匠性をもたらす光輝性カードの需要が高い。この独特の光輝感は、「ラメ」または「ラメ感」とも言われ、「ラメ」は英語の「ｌａｍｅ」のことで、元来は、金らん、すなわち、金属糸を絹、毛などと共に織り込んだ織物、を意味する。
【００３０】
このような、光輝性カードの印刷に用いられるラメインキは、粒径が２５μｍ〜５０μｍ程度である金属アルミ等の金属粒子が好適に用いられる。粒径が２５μｍ未満の場合には光輝感が十分得られなくなり、５０μｍを超える場合には粗粒にすぎて均一な印刷面が得られないからである。ここで、粒径とは、粒度分布の平均であり、粒径の測定方法は粒度分布測定によるものである。例えば、ＩＳＯ１３３２０（２００９）や、これを基礎とするＪＩＳ  Ｚ８８２５（２０１３）に準拠することができる。
【００３１】
また、この粒径は、後述する隠蔽層に用いられるインキのそれと比べて大きい。このような金属粒子である金属アルミ粉末をペースト状にした上でビヒクル、すなわちバインダーに溶いてインキ化して用いる。ラメインキをシルクスクリーン印刷用インキにインキ化するためのバインダーとしては、例えば、塩化ビニル・酢酸ビニル共重合体、塩化ビニル・酢酸ビニル・ビニルアルコール共重合体や塩化ビニル・酢酸ビニル・マレイン酸共重合体、繊維素系樹脂、アクリル樹脂、塩化ビニル・アクリレート共重合体、ビスフェノールＡ型エポキシ樹脂、等各種の樹脂を使用することができる。バインダーに金属樹脂を溶かしたインキを用いて、後述する隠蔽層等の印刷時よりも粗目のスクリーンメッシュを用いたシルクスクリーン印刷を行うことにより、当該ラメインキ層を形成することができる。ラメインキ層の厚さは、要求される光輝性の程度に応じて変えることが可能であるが、通常、０．５μｍ〜５０μｍ程度であり、１μｍ〜１０μｍ程度とすることが好ましい。
【００３２】
また、ラメインキの種類として、当該ラメインキを構成する金属粒子の外周部が樹脂で被覆された樹脂コート粒子を用いるものと、金属粒子の外周部が樹脂で被覆されない粒子を用いるものとがある。ラメインキを構成する金属粒子の外周部が樹脂で被覆された樹脂コート粒子を用いた場合、後述する隠蔽層１７０も同様に金属粒子の外周部が樹脂で被覆された樹脂コート粒子を用いているため、通電性が非常に悪くなり、本開示のユニークパターンを形成することが困難となる。よって、本実施形態のラメインキ層１６０に用いるラメインキは、金属粒子をそのままバインダーに溶かしてインキしたものを用いる。図３はラメインキ層１６０の構成を模式的に示した断面図であり、図４がラメインキ層１６０の写真画像である。ここで、ラメインキ層１６０は、金属アルミ粉末である金属粒子１６２と、その周囲を被覆する樹脂コート部１６３から構成されており、金属粒子１６２は、溶媒であるバインダー１６４中で互いに隙間を保って分散している。なお、図３では、金属粒子１６２の断面を円または楕円として記載しているが、図４の写真画像を見ても明らかなとおおり、実際の金属粒子１６２の断面は、多角形や多様な直線と曲線の結合によって形成されているものである。
【００３３】
（ｖ）隠蔽層
隠蔽層１７０は、上述のラメインキ層１６０と類似しているが、ラメインキ層１６０に用いられる金属粒子よりも粒径が小さい、２μｍ〜１２μｍ程度の金属粒子が用いられ、本実施形態では約７μｍ程度の金属アルミの金属粒子が用いられている。隠蔽層１７０は、もともと黒色または茶褐色の磁気テープが配置されているクレジットカード等において、カードの券面デザインが磁気テープの色によって制約されないよう、磁気テープが有する黒色または茶褐色の色彩を隠蔽すること、および、ラメインキほどの光輝性は必要ないがカードに光沢感を付与すること、を目的として、当該磁気テープが貼り込まれたオーバーシート層３の上層に印刷されるものである。また、磁気テープがないカードであっても、例えば非接触ＩＣカードなどのようにカード内部にアンテナやチップが内蔵されるカードでは、カードの色によってはこれらが透けて見えてしまうことがあり、このような場合にも絵柄印刷層の下地として隠蔽層を設けておくことが有利である。
【００３４】
隠蔽層１７０は、金属粒子である金属アルミ粉末をペースト状にした上でラメインキと同様のバインダーに溶いてインキ化したものを使用して形成する。ラメインキ層１６０の印刷時よりも細かい目のスクリーンメッシュを用いたシルクスクリーン印刷を行うことにより、当該隠蔽層１７０を印刷形成させることができる。隠蔽層１７０の厚さは、要求される隠蔽性や光沢感の程度に応じて変えることが可能であるが、通常、１μｍ〜５μｍ程度である。
【００３５】
この隠蔽層１７０は、上述のラメインキ層１６０とは異なり、金属粒子をそのままバインダーに溶かしてインキとしたものではなく、金属粒子の外周部が樹脂で被覆された樹脂コート粒子を用いている。図５は隠蔽層１７０の構成を模式的に示した断面図である。樹脂コート粒子１７１は、内部の金属アルミ粉末である金属粒子１７２と、その周囲を被覆する樹脂コート部１７３から構成されており、樹脂コート粒子１７１は、溶媒であるバインダー１７４に溶かされて分散している。金属粒子は絶縁物である樹脂で外周全域がコーティングされるため、ラメインキ層と同様に隠蔽層としての絶縁性が高まる。コーティングする樹脂の限定は特にないが、例えば、アクリル樹脂等があげられる。
【００３６】
（ｖｉ）アンカー層
アンカー層は、図２に示すとおり、ラメインキ層１６０と後述する絵柄印刷層１４０との間に積層されるアンカー層１５０と、絵柄印刷層１４０と後述する剥離層１２０との間に積層されるアンカー層１３０との２箇所に設けられている。これらはいずれも透明色である紫外線硬化型タイプのオフセットインキにより、全面にわたり印刷されている。これは、一般的にシルクスクリーン印刷された印刷層の上に直接オフセット印刷による絵柄を印刷すると、絵柄印刷部分の密着性が低いため、これを向上させるために設けるものである。後述する剥離層１２０はコーティングされたものであるが、シルクスクリーン印刷と同様の溶剤系インキを用いているため、絵柄印刷層１４０との密着を考慮してアンカー層を設けている。ただし、このようなアンカー層は、絵柄印刷層１４０とラメインキ層１６０、または、絵柄印刷層１４０と剥離層１２０との密着性に問題がない場合には設けなくてもよい。
【００３７】
（ｖｉｉ）絵柄印刷層
絵柄印刷層１４０は、図２に示すとおり、２層のアンカー層１５０および１３０に挟まれた部分に形成されている。図１のカード１０Ａを紙面の上方から、すなわちユニークパターン形成部１Ａの側から見たとき、透明材料で形成されている剥離層１２０およびアンカー層１３０を透過して、絵柄印刷層１４０が直接視認されることになる。当該絵柄印刷層１４０は主にオフセット印刷により、必要な色数分の印刷がされることで任意のデザインを形成することができる。当該絵柄印刷層１４０のデザインは、その下地の隠蔽層１７０およびラメインキ層１６０の存在により、適度の光沢性および光輝性を伴って視認されるという効果を有している。なお、絵柄印刷層１４０を形成するオフセットインキの顔料として、またはこれとは別の部材として、荷電粒子を添加したり、磁性粒子を添加する等した場合には、ユニークな絵柄パターンを必ずしも目視や光学的な検出手段によってのみ検出することに限定されず、これを電気的または磁気的な検出手段である電界センサや磁気センサ等を使用して検出することも可能となる。
【００３８】
（ｖｉｉｉ）剥離層
剥離層１２０は、上述したように、あらかじめ転写基材１１０に対して、剥離層１２０から隠蔽層１７０に至る各印刷層を形成したものを、オーバーシート層およびコア層を重ねた積層体に重ねてから熱プレスを行う製法において、転写基材１１０からユニークパターン形成部１Ａを確実に当該積層体側に熱転写するために設けられるものである。剥離層１２０はアンカー層１３０の上に全面にわたりコーティングにより設けられる。剥離層１２０は、主としてポリメタクリル酸メチルから構成されるインキである。転写基材１１０にあらかじめユニークパターン形成部１Ａを形成する製法を用いない場合には、当該剥離層１２０およびその下層のアンカー層１３０は不要である。また、当該剥離層１２０は、転写基材１１０からの剥離性を目的とするものであるが、同時にこれに、ユニークパターン形成部１Ａを保護するための成分を付与して、保護層を兼ねるように形成されてもよく、あるいは、剥離層としてではなく保護層として形成されていてもよい。例えば保護成分を含有したオーバープリント印刷等により形成してもよい。これにより、例えばユニークパターン形成部１Ａの耐擦過性、耐薬品性、耐候性の向上が図れる。
【００３９】
（ｂ）不規則かつユニークな絵柄パターンの形成
次に、図６〜図９により、ユニークパターン形成部１Ａがカード１０Ａの券面に不規則かつユニークに形成される点について説明する。図６は、実際に本実施形態により作成されたカードに形成されたユニークなパターンを例示する写真画像である。図７はユニークなパターンを模式的に例示した図であり、図７（ａ）は、図６の四角で囲ったＡ部に対応するユニークなパターンの例示であり、図７（ｂ）は、その他の態様の例示である。また、図８は、ユニークなパターンが形成される状態を説明する図であり、図９は、ユニークなパターンの形成方法を説明する図である。
【００４０】
（ｉ）ユニークなパターンの構成
図６に示すように、本実施形態のユニークなパターンは、不規則な曲線または直線がつながった形状であり、途中に二股あるいはそれ以上に分岐する地点を有する形状である。このような形状はいわゆる「稲妻模様」あるいは「ジグザグ形状」とも呼ばれることがある。この図６の四角で囲ったＡ部の模式図が図７（ａ）であるが、この稲妻模様またはジグザグ形状の筋である欠損部１９０は、絵柄印刷層１４０のインキが一部、欠損した部位であると考えられる。このような筋は、図６および図７（ａ）にあるように、連続的に分岐しながら曲線と直線とが繋がった形状であることもあれば、図７（ｂ）のように、欠損部１９０が、１箇所を中心として放射状に一定範囲の中で複数の筋として広がる形状となることもある。
【００４１】
図７（ａ）において、この連続した筋状の欠損部１９０の幅をＷ１とすると、ユニークなパターンの筋状の欠損部１９０は、少なくとも０．１ｍｍ〜５ｍｍ程度の幅Ｗ１を部分的に有することにより、肉眼においてもそのパターンを明確に確認することが可能である。絵柄のデザイン性を損なわず、かつ、ユニークなパターンの視認性を確実に確保するためには、少なくとも０．５ｍｍ〜２ｍｍ程度の幅Ｗ１を部分的に有していることが好ましい。０．５ｍｍよりもＷ１が小さいときは、当該パターンの目視による視認性が低下し、２ｍｍより大きい場合には、当該パターンが目立ちすぎることにより絵柄自体のデザイン性が損なわれるおそれがあるからである。また、絵柄印刷層１４０のインキが一部、欠損した部位である欠損部１９０は、下地となるラメインキ層１６０の地色が見えているため、ユニークなパターンの筋状の欠損部１９０自体が光輝性を有することから、この点において、当該ユニークなパターンの視認性を向上させる効果がある。
【００４２】
また、ラメインキ層１６０の色と、絵柄印刷層１４０のインキによる色とが適度なコントラストを有するように絵柄印刷層１４０のインキの配色を行うことにより、当該ユニークなパターンの視認性をさらに向上させることができる。例えば両者の色について、ＪＩＳ  Ｚ８７３０（２００９）の７．１．１に規定するＬ*ａ*ｂ*表色系における色差△Ｅ*ａｂが、少なくとも１０．０以上であることが好ましく、２５．０以上であることがさらに好ましい。より一層、ユニークなパターンの視認性を確保できるからである。また、絵柄印刷層１４０のインキには、蓄光顔料を含んでいてもよく、または、パールインキに含まれるパール顔料を含んでいてもよい。これも、ユニークなパターンの視認性の向上に寄与するからである。
【００４３】
一方、静電気の放電によって形成することが可能なユニークなパターンの形状が、放電箇所を集中させることによって、図７（ｂ）のように、ある点を中心にして一定の直径Ｄの範囲に分布するような、放射状に延びる筋状の欠損部１９０となる場合がある。このとき、Ｄは２ｍｍ〜５０ｍｍ程度、ユニークなパターンの筋状の欠損部１９０は、少なくとも０．１ｍｍ〜５ｍｍ程度の幅Ｗ２を部分的に有することにより、肉眼においてもそのパターンを明確に確認することが可能である。絵柄のデザイン性を損なわず、かつ、ユニークなパターンの視認性を確実に確保するためには、少なくともＤは５ｍｍ〜３０ｍｍ程度であって、０．５ｍｍ〜２ｍｍ程度の幅Ｗ２を部分的に有していることが好ましい。Ｄが５ｍｍよりも小さいときは、当該パターンの目視による視認性が低下し、３０ｍｍより大きい場合には、当該パターンが目立ちすぎることにより絵柄自体のデザイン性が損なわれるおそれがあるからである。
【００４４】
このような欠損部１９０による模様であるユニークなパターンが発生する理由は定かではないが、外部からカード１０Ａに対する静電気の流入、または、カード１０Ａに帯電した静電気の外部への放電によって生じるものであると推定される。カード１０Ａはコア層４、５およびオーバーシート層３、６ともに絶縁性を有する樹脂製であり、ユニークパターン形成部１Ａの各インキ層も、ラメインキ層１６０や隠蔽層１７０に含まれる金属粒子を除いて絶縁性の樹脂により構成されている。ここで、完全に絶縁物の樹脂だけで構成されたカードは、静電気が帯電することはあっても、溜まった電荷が規則的に放電される機会はあまりなく、仮に放電された場合であったとしても、その放電の経路は必ずしも決まった経路ではなく、特に絵柄印刷層１４０付近を通るものとはならないと考えられる。
【００４５】
一方、本実施形態のカード１０Ａは、絵柄印刷層１４０のすぐ間近にアンカー層１５０を挟んで他のコア層やオーバーシート層等よりも絶縁性が低いラメインキ層１６０および隠蔽層１７０が配置されており、カード１０Ａに静電気が一定の高電圧にまで帯電したときに、もっとも絶縁性の低いラメインキ層１６０の内部で絶縁破壊が起き、雷と同様の一種の火花放電が生じるものと推定される。すなわち、ラメインキ層１６０の内部でバインダーや気体の分子が電離して発生した正イオンが負極に衝突して二次電子放出により負極から電子が供給され、ラメインキ層１６０の内部に大電流が流れるものと考えられる。これによって、その上層である絵柄印刷層１４０のインキの温度が局部的に上昇し、当該インキおよび、場合によってはその上層部分までが剥がれ飛ぶ、または蒸発することで筋状のユニークなパターンとなる欠損部１９０が形成されるものと推定される。
【００４６】
図８（ａ）は、カード１０Ａの帯電量が少ないときの状態を示す模式図であるが、流入する静電気Ｅが弱い段階ではカード内部に電荷が蓄積され、特に変化が起きない。その後、図８（ｂ）のように、帯電量が一定レベルを超えて高電圧に達したとき、もっとも絶縁性の低い、すなわち電気抵抗値の低い領域であるラメインキ層１６０の内部で絶縁破壊が生じ、当該ラメインキ層１６０を通じて外部に向けて大電流を伴って放電される。その結果、電流の経路に対応する上層の絵柄印刷層１４０やさらにその上層のアンカー層１３０および剥離層１２０は高温のため、剥がれ飛び、または蒸発するため、当該部分が欠損部１９０として残存し、ユニークなパターンとして視認され得ることとなると考えられる。また、このユニークなパターンは、ラメインキ層１６０の内部の複雑な電気抵抗の分布に依存して複雑な模様として形成されるため、カード１０Ａの各々によって異なる形状、すなわちユニークな形状を形成し得る。
【００４７】
一方、例えば隠蔽層１７０が、内部の金属粒子に樹脂を被覆していないものである場合、すなわち、絶縁性が極めて低い状態に形成されるときには、上記のような現象は起こらない。この場合は、図８（ｃ）に示すように、外部から加えられた静電気Ｅは内部に蓄積することなく、絶縁性の低い隠蔽層１７０を通じて外部に放電される。しかし、この場合は高電圧にまでは達していないため、上層の絵柄印刷層１４０を欠損させるような絵柄印刷層１４０の昇温にまでは至らず、外観的な変化は生じない。
【００４８】
このように、カード１０Ａが静電気を帯びたときに絵柄印刷層１４０にユニークなパターンである欠損部１９０が発生するか否かは、その下層に配置されるラメインキ層１６０および隠蔽層１７０の所定条件により決まるものと考えられる。少なくとも、樹脂コート粒子の粒径が７μｍ程度である隠蔽層１７０と、アルミ粉の粒径が２５μｍ〜５０μｍ程度であるラメインキ層１６０とが、絵柄印刷層１４０の下層に存在することが、ユニークなパターンが発生し得る必須要件であるものと考えられる。
【００４９】
ラメインキ層１６０および隠蔽層１７０に含有される金属粒子および樹脂コート粒子の粒径が上記の範囲内である場合には、粒径の小さい隠蔽層１７０の表面抵抗率は、ラメインキ層１６０の表面抵抗率よりも大きく、ラメインキ層１６０と比べると絶縁破壊が起こりにくい構造であるものと推定される。
【００５０】
しかしながら、ラメインキ層１６０に樹脂コートがされている場合には、ラメインキ層１６０の内部での絶縁破壊が起きなくなる。樹脂コートがされていないラメインキ層１６０は、例えば１５ｋＶ以下の低い静電気電圧に対しては通電性がないが、２０ｋＶ以上の高い静電気電圧に対しては絶縁破壊する性質を有する。これに対して、樹脂コートがされた隠蔽層１７０や樹脂コートがされたラメインキ層は、２０ｋＶ以上の高い静電気電圧に対しても通電性がほとんどなく、絶縁破壊を起こしにくいことが考えられる。しかしながらこれらの推定にとらわれることなく、所定条件の樹脂コートがされていないラメインキ層１６０および樹脂コートがされた隠蔽層１７０を積層した場合に限り、本開示のユニークなパターンが形成され得ることが、後述するように実験的に確認されている。
【００５１】
（ｉｉ）ユニークなパターンの形成方法
また、このようなユニークなパターンである欠損部１９０を意図的に発生させる方法を、図９に基づいて説明する。図９（ａ）は、カード１０Ａが縦横複数列に多面付けされた大判シート１２を積み重ねた大判シート束１３に対して、ユニークなパターンを形成する方法を説明する図であり、図９（ｂ）は、カード１０Ａに対して、ユニークなパターンを形成する方法を説明する図である。
【００５２】
図９（ａ）では、カード１０Ａを打ち抜き型で打ち抜き形成する前の、多面付けの大判シート１２を、アースにつながれたパレット２２０の上に上下に積み重ねた大判シート束１３に対して、上方に固定した静電気放電ガン２１０から一定距離をおいて静電気を放電している。このようにすることによって、大判シート束１３の各々の大判シート１２にまとめて短時間で静電気を帯電させることができる。所定量の帯電が行われた後、最上部の大判シート１２を大判シート束１３から剥がすように移動させると、その瞬間に、移動させた大判シート１２の各カード１０Ａのラメインキ層１６０を通じて、一斉に放電が起き、当該大判シート１２の各々のカード１０Ａに対応した絵柄印刷層１４０にユニークなパターンである欠損部１９０が形成される。
【００５３】
なお、本実施形態で使用する静電気放電ガン２１０は、静電気耐性試験用のコンピュータ制御静電気試験器（株式会社ノイズ研究所、ＥＳＳ−２０００）である。カードに対して静電気を付与することができ、券面及びカードに内蔵されるＩＣチップへの影響を調査することが可能である。
【００５４】
また、図９（ｂ）では、大判シートから打ち抜かれたカード１０Ａを、アースにつながれたテーブル２３０上に搭載してから、上方に固定した静電気放電ガン２１０によって一定距離をおいて静電気を放電している。上述の大判シート束に対してまとめて静電気を与える方法よりも、各々のカードに静電気を印可する点で時間を要する工程となるが、各々のカード１０Ａの絵柄印刷層１４０に、確実にユニークなパターンである欠損部１９０を形成できる点で有利である。ただし、ユニークなパターンを形成する方法はこれらに限定されず、例えば、放電ガン等を用いることなく、ハンドリング工程等で自然に発生する静電気を利用する方法であってもよい。ユニークなパターンである欠損部１９０を形成するには、例えば、静電気放電ガン２１０からの印可電圧が２０ｋＶ〜３０ｋＶ程度であり、放電ガンの先端部を大判シートまたはカードに接触させた場合に良好に得られることが多いが、必ずしもこれらの条件に限定されるものではない。
【００５５】
以上のように、第１実施形態のカード１０Ａは、支持体２であるオーバーシート層３の上に、隠蔽層１７０、ラメインキ層１６０、アンカー層１５０、絵柄印刷層１４０、アンカー層１３０および剥離層１２０がこの順に積層された、不規則かつユニークな絵柄パターンである、ユニークパターン形成部１Ａが配置された偽造防止用印刷物１０である。また、当該偽造防止用印刷物１０であるカード１０Ａの隠蔽層１７０は、樹脂により被覆された金属粒子を含有したインキで形成されており、上述の工程を経ることにより、絵柄印刷層１４０に、不規則かつユニークな絵柄パターンを形成することが可能である。また、その不規則かつユニークな絵柄パターンは、絵柄印刷層１４０を形成するインキが部分的に放電時の高温によって除去されて形成されていると考えられる。さらに、ラメインキ層１６０に含有される金属粒子の粒径は、隠蔽層１７０に含有される、樹脂により被覆された金属粒子の粒径よりも大きいことが好ましい。
【００５６】
このような偽造防止用印刷物１０であるカード１０Ａは、その各々が異なる不規則かつユニークな絵柄パターンを有することによって、目視状態において確実に特定のカードを識別することができる。したがって、例えば自己のカードをあらかじめ写真画像として保存しておくことにより、第三者のカードがこれとまったく同じパターンを有する場合には、これが自己のカードの偽造によって製造されたものであることを容易に確認することができる。
【００５７】
２．第１実施形態の変形例
上述した第１実施形態は、種々の変形や変更が可能であり、それらも本開示の範囲内である。下記に、幾つかの変形例を挙げる。
【００５８】
（ａ）変形例（１）
図１０は、第１実施形態のカード１０Ａのユニークパターン形成部１Ａに対して、剥離層１２０のアンカー層１３０とは反対の主面側にさらに透明保護層１８０を設けた保護層付きユニークパターン形成部１１を示す断面図である。当該透明保護層１８０は、前述したコア層やオーバーシート層と同様の材料から選択することができるが、下層の絵柄印刷層１４０が視認できるよう、ある程度の透明性を有する必要がある。また、当該透明保護層１８０は、シート状の基材を積層する方法だけではなく、例えば紫外線硬化性樹脂または熱硬化性樹脂である透明樹脂を塗布、または印刷してこれをＵＶ照射または加熱により硬化させる方法で形成してもよい。このように、ユニークパターン形成部１Ａの上層を透明基材または透明樹脂で覆うことにより、ユニークなパターンが変質したり、劣化して形状が変化してしまうことを効果的に抑制することができる。
【００５９】
なお、ユニークなパターンが形成される前に透明保護層１８０を積層形成してしまうと、静電気放電による絵柄印刷層１４０の除去がうまくされず、欠損部１９０すなわちユニークなパターンが意図したとおりに形成されないおそれがあるため、ユニークなパターンが形成された後で透明保護層１８０を形成することが好ましい。
【００６０】
（ｂ）変形例（２）
図１１は、カード１０Ａのユニークパターン形成部について、ラメインキ層１６０、またはラメインキ層１６０と隠蔽層１７０の形成領域を絵柄印刷層１４０等よりも狭い領域としているユニークパターン形成部１Ｂおよび１Ｃを示す断面図である。ユニークパターン形成部１Ｂおよび１Ｃも、本開示の偽造防止用印刷物１０に形成されるユニークパターン形成部１の一例である。例えば、図１１（ａ）のように、ラメインキ層１６０の形成領域が絵柄印刷層１４０等のそれよりも狭い領域とされたユニークパターン形成部１Ｂを有する場合には、静電気放電等によるユニークなパターンの形成領域は、最大でもこのラメインキ層１６０の形成領域内に限定される。ラメインキ層１６０の上層の絵柄印刷層１４０のみが放電時に高温となり、欠損部１９０を形成し、それ以外の領域では放電の経路が異なるため、絵柄印刷層１４０に高温の領域が生じず、欠損部１９０が形成されないからである。
【００６１】
このように、偽造防止用印刷物１０であるカード１０Ａを隠蔽層１７０、ラメインキ層１６０および絵柄印刷層１４０が積層される方向に沿って透視したときに、ラメインキ層１６０の面積が絵柄印刷層１４０の面積よりも小さく形成されていることによって、ユニークなパターンの形成領域を、当該ラメインキ層１６０の形成領域の内部に限定することができる。これにより、絵柄のデザイン自体に制約を設けることなく、光輝性が付与された領域およびユニークなパターンの形成領域を、絵柄のデザインに支障を与えない領域に意図的に限定して設けることができ、デザインの自由度をさらに向上させることができる。
【００６２】
また、図１１（ｂ）のように、隠蔽層１７０、ラメインキ層１６０および絵柄印刷層１４０が積層される方向に沿って透視したときに、ラメインキ層１６０および隠蔽層１７０が略重なるように、隠蔽層１７０の面積をラメインキ層１６０の面積と同程度に小さく形成することとしてもよい。この場合も、絵柄のデザイン自体に制約を設けることなく、ユニークなパターンの形成領域を、絵柄のデザインに支障を与えない領域に意図的に限定して設けることができるほか、隠蔽層、ラメインキ層のインキ消費量を減らし、コストダウンを図ることができる。
【００６３】
（ｃ）変形例（３）
図１２は、偽造防止用印刷物１０の別の例示として、粘着ラベル１０Ｄを示す断面図である。支持体２としては、例えば紙基材７を使用することができるが、その他、樹脂製フィルムや紙と樹脂のブレンド材等を用いることができる。樹脂製フィルムとしては前述のカード１０Ａのコア層について例示した材料が使用できる。本変形例の紙基材７の上層側にユニークパターン形成部１の一種であるユニークパターン形成部１Ｄが形成され、紙基材７の下層側に粘着層８が形成されている。また、不使用時、保管時の粘着層８の粘着力を低下させないために、粘着面にセパレータ９が貼り付けられている。ユニークパターン形成部１Ｄは、第１実施形態のユニークパターン形成部１Ａと同様の構成とすることができる。ユニークパターン形成部１Ｄは、本開示の偽造防止用印刷物１０に形成されるユニークパターン形成部１の一例である。紙基材７の厚さには特に制限はないが、用途や耐久性に応じて、例えば０．０１ｍｍ〜１０ｍｍ程度で適宜選択することができる。
【００６４】
粘着層８としては公知の一般的な材料を用いることができる。例えば、合成ゴム系粘着剤としては、イソプレンゴム、イソブチレン−イソプレンゴム、ポリイソブチレンゴム、スチレン−ブタジエンゴム、スチレン−イソプレンブロック共重合体、スチレン−ブタジエンブロック共重合体、スチレン−エチレン−ブチレンブロック共重合体、エチレン−酢酸ビニル共重合体等をあげることができる。また、シリコーン樹脂系粘着剤としては、例えばシロキサンポリマーを使用することができ、アクリル樹脂系粘着剤としては、例えば、アクリル酸、アクリル酸メチル、アクリル酸エチル、アクリル酸プロピル、アクリル酸ブチル、メタクリル酸メチル、メタクリル酸エチル、メタクリル酸ブチル、アクリロニトリル等の重合体、共重合体等を使用することができる。これらの粘着剤は２種以上が組み合わされて使用されてもよい。
【００６５】
当該粘着層８には、必要に応じて粘着付与剤、填料、軟化剤、老化防止剤、あるいは染料、顔料等の着色剤等を配合することもできる。粘着付与剤としては、ロジン系樹脂、テルペン樹脂、フェノール系樹脂、キシレン系樹脂等が挙げられる。また、填料としてはシリカ、タルク、炭酸カルシウム、クレイ等が挙げられる。軟化剤としては可塑剤等が挙げられる。また、粘着層８の厚さには特に制限はないが、用途や耐久性に応じて、例えば０．０１ｍｍ〜５．０ｍｍ程度で適宜選択することができる。
【００６６】
このような粘着ラベル１０Ｄの場合であっても、第１実施形態のカード１０Ａと同様に、ユニークパターン形成部１Ｄにユニークなパターンを形成することができる。紙基材７自体は静電気を帯びにくいが、粘着層８やユニークパターン形成部１Ｄに使用される絶縁性の樹脂には静電気が帯電しやすいため、カード１０Ａと同様の効果が期待できる。また、当該粘着ラベルは、ＲＦＩＤタグを内蔵した非接触通信によるデータの読み出しや書き込みが可能なものであってもよい。
【００６７】
（ｄ）変形例（４）
図１３は、偽造防止用印刷物１０の別の例示として、冊子体１０Ｅを示す斜視図である。冊子体とは、例えばパスポートや貯金通帳等であるが、これには限定されない。当該冊子体１０Ｅの支持体２は、パスポートのデータページ３３０であり材質は例えばポリカーボネートやポリエステル、またはこれらと紙とのブレンド材である。データページ３３０を挟むようにしてページ３１０、３２０が帳合されている。データページ３３０には、第１実施形態のユニークパターン形成部１Ａと同様の構成であるユニークパターン形成部１Ｅが形成されている。ユニークパターン形成部１Ｅは、本開示の偽造防止用印刷物１０に形成されるユニークパターン形成部１の一例である。
【００６８】
このような冊子体１０Ｅの場合においても、第１実施形態のカード１０Ａと同様に、ユニークパターン形成部１Ｅにユニークなパターンを形成することができる。特にパスポートである場合には、データページ３３０は、ＩＣチップを内蔵しているため、後述の検査方法で説明するとおり、当該ユニークなパターンをコード化したデジタルデータをＩＣチップに記憶させ、ユニークパターン形成部１ＥのユニークなパターンとＩＣチップの内蔵データとを照合することにより、当該パスポートが改ざんされていないことを検証することができる。
【００６９】
（ｅ）変形例（５）
図１４は、偽造防止用印刷物１０のさらなる別の例示として、ＩＣカード１０Ｆを示す平面図である。第１実施形態のカード１０Ａは、このようなＩＣチップを備えていないカードであるが、本変形例はカード基体４２０に、ＩＣチップを内蔵するＩＣモジュール４１０を備えている点が、カード１０Ａとは異なる。ＩＣカード１０Ｆにおいても、第１実施形態のカード１０Ａと同様に、支持体２であるカード基体４２０の上層にユニークパターン形成部１Ｆとしてユニークなパターンを形成することができる。ユニークパターン形成部１Ｆは、本開示の偽造防止用印刷物１０に形成されるユニークパターン形成部１の一例である。また、上述のパスポートと同様に、当該ユニークなパターンをコード化したデジタルデータをＩＣチップに記憶させ、ユニークパターン形成部１ＦのユニークなパターンとＩＣチップの内蔵データとを照合することにより、当該パスポートが改ざんされていないことを検証することができる。
【００７０】
３．第２実施形態
次に、上述したＩＣカード１０Ｆを用いた偽造防止用印刷物１０の真贋判定システムおよび真贋判定方法に関する第２実施形態について説明する。
【００７１】
（ａ）偽造防止用印刷物の真贋判定システムの構成
図１５は第２実施形態に関する偽造防止用印刷物１０であるＩＣカード１０Ｆの真贋判定システムの構成を説明する構成図である。図１５（ａ）に示すように、ユニークパターン真贋判定システム５００は、ＩＣカード１０Ｆを固定するためのステージ５３０、カメラ５１０、光源５２０、画像処理装置５４０およびリーダライター５５０から構成される。光源５２０はステージ５３０の上に載置されたＩＣカード１０Ｆを照らし、ユニークパターン形成部１Ｆの撮影を良好に行うことを可能とするものである。カメラ５１０は例えばＣＣＤカメラであり、ＩＣカード１０Ｆの全体、または、ユニークパターン形成部１Ｆの所定領域を撮影し、この情報をデジタルデータとして取り込む。画像処理装置５４０は、カメラ５１０が撮影し、取り込んだデジタルデータをそのまま、あるいは所定の変換をした上で、デジタルデータとして内蔵するメモリに保存する。
【００７２】
なお、本実施形態では、光学的手段のひとつであるカメラ５１０によって、ユニークな絵柄パターンを検出することとしているが、検出手段はこのような光学的なものには限定されない。例えば、絵柄印刷層１４０を形成するオフセットインキの顔料中に、荷電粒子を添加したり、磁性粒子を添加する等した場合には、ユニークな絵柄パターンを必ずしも目視や光学的な検出手段によってのみ検出することに限定されず、これを電気的または磁気的な検出手段である電界センサや磁気センサ等を使用して検出することも可能である。なお、真贋判定システムの説明は、ＩＣカード１０Ｆに適用した場合について行うが、本開示の真贋判定システムはこれに限定するものではなく、例えばＩＣチップを内蔵するＲＦＩＤタグを備えた粘着ラベルやＩＣチップを内蔵した冊子体に適用することもできる。
【００７３】
リーダライター５５０は、図１５（ｂ）、（ｃ）に示すように、ＩＣカード１０ＦのＩＣモジュール４１０にコンタクトすることにより、ＩＣモジュール４１０に対して情報の読み出しや書き込みを行うことができる。カメラ５１０がＩＣカード１０Ｆを撮影している間は、リーダライター５５０はＩＣカード１０Ｆにはコンタクトしていないが、撮影終了後、図示しない機構によってＩＣカード１０Ｆはリーダライター５５０とコンタクトすることができる。例えば、撮影終了後のＩＣカード１０Ｆを移動させ、リーダライター５５０のソケットに差し込んでコンタクトさせてもよい。リーダライター５５０がＩＣモジュール４１０とコンタクトしているとき、インターフェース部４１１を介して、ＣＰＵ４１２に対してコマンドやデータを送信したり、ＣＰＵ４１２からコマンドやデータを受信することができる。ＩＣカードとリーダライターとの電気的な接続仕様や通信仕様、コマンドの送受信の仕様については、ＩＳＯ７８１６規格によって詳細が定められている。また、リーダライター５５０は、画像処理装置５４０と通信可能に接続されている。
【００７４】
ＩＣモジュール４１０は、ＩＣチップとその外装部分とに分かれるが、特にＩＣチップ側は、リーダライター５５０とのコマンドの送受信のためのインターフェース部４１１と、ＣＰＵ４１２と、各種のメモリ素子であるＲＡＭ４１３、ＲＯＭ４１４およびＮＶＭ４１５を備えている。ＣＰＵ４１２は、インターフェース部４１１を介してデータを送受信することの指示や、各種のメモリへのデータの書き込みや読み出し、各種の演算や判定を行い、これらに必要な電力をリーダライター５５０からインターフェース部４１１を介して受電し、各部に供給する役目を担っている。しかし、電源部がＣＰＵ部とは別に設けられていてもよい。
【００７５】
メモリ素子のうち、ＲＡＭ４１３は、ＣＰＵへのデータの入出力や演算のための一時的なデータの格納用に用いられる揮発性メモリである。ＲＯＭ４１４は、電源投入時にＣＰＵを起動させ、オペレーティングシステムやアプリケーションを立ち上げるための固定プログラム等が格納された書き換え不可能な不揮発性メモリである。また、ＮＶＭ４１５は、フラッシュメモリーやＥＥＰＲＯＭ等の書き換え可能な不揮発性メモリであり、更新される可能性のあるアプリケーションプログラムやパラメータ、リーダライターから受信したデータやＣＰＵが演算した結果のデータ等を格納するために用いられる。
【００７６】
（ｂ）検査方法
次に、図１６および図１７の真贋判定方法のフロー図と図１５の構成図を用いて、ユニークパターン真贋判定システム５００による検査の流れを説明する。図１６は、ＩＣカード１０Ｆの認証情報を登録する作業を示すフロー図である。まず、図１５（ａ）に示すように、ＩＣカード１０Ｆをステージ５３０に固定し、光源５２０による照明がＩＣカード１０Ｆの券面に当たるように調整する。そして、カメラ５１０により、ＩＣカード１０Ｆのユニークパターン形成部１Ｆを含む所定領域の画像を撮像する（ステップＳ６０１）。
【００７７】
次に、撮像した画像データを画像処理装置５４０に取り込み、当該画像データを所定のルールにしたがってデジタルデータのコードに変換する。これを仮に固有コードＣ０とする（ステップＳ６０２）。所定のルールとは、任意に定めたもので構わないが例えば、取り込んだ画像の各画素を一定の閾値によって２値化し、各画素ごとの２値化データ（０または１）を順番に羅列したものを固有コードとしてもよく、これらのデータに所定の演算をして短縮されたハッシュデータを得て、これを固有コードとしてもよい。ただし、撮像した画像データの情報と、対応付けができるコードであることを要する。対応付けは、必ずしも画像データと固有コードとが１対１の関係となる必要性はないが、少なくとも一つの画像データが複数の固有コードと紐付けられてはならない。
【００７８】
上記固有コードＣ０を画像処理装置５４０からリーダライター５５０に転送し、画像データの撮像が終了したＩＣカード１０Ｆをステージ５３０から外してリーダライター５５０にコンタクトさせ、ＩＣモジュール４１０の不揮発性メモリであるＮＶＭ４１５への書き込みを行う（ステップＳ６０３）。以上により、ＩＣカード１０Ｆへの認証情報の登録作業が終了する。
【００７９】
次に、ＩＣカード１０Ｆの真贋判定作業の流れを説明する。図１７は、当該真贋判定作業のフロー図である。まず、判定対象のＩＣカード１０Ｆをステージ５３０に載置し、ユニークパターン形成部１Ｆを含む所定領域の画像を撮像する（ステップＳ６１１）。次に、撮像した画像データを画像処理装置５４０に取り込み、当該画像データを所定のルールにしたがってデジタルデータのコードに変換する。これを仮にコードＣ１とする（ステップＳ６１２）。所定のルールとは、前述した認証情報の登録作業に用いたものと同じアルゴリズムに従って行うことを意味する。次に、ＩＣカード１０ＦのＩＣモジュール４１０の不揮発性メモリであるＮＶＭ４１５に記憶している当該ＩＣカード１０Ｆの固有コードＣ０を、リーダライター５５０をＩＣモジュール４１０にコンタクトさせた状態で読み出し、これを画像処理装置５４０に転送する（ステップ６１３）。
【００８０】
画像処理装置５４０は、直近に撮像したＩＣカード１０Ｆの画像データから取得したコードＣ１と、リーダライター５５０がＩＣカード１０Ｆのメモリから読み出したＩＣカード１０Ｆの固有コードＣ０とを比較照合する（ステップＳ６１４）。当該画像処理装置は、本開示の比較照合手段の一例である。もしも、ＩＣカード１０Ｆの認証情報登録時と同じ券面のカードを比較した場合には、Ｃ１はＣ０と一致するはずであり、これが不一致である場合は、ＩＣカード１０Ｆのユニークパターン形成部１Ｆが、後から改ざんされた可能性がある。
【００８１】
したがって、Ｃ１がＣ０と同じ場合には、認証が成功したと判断し（ステップＳ６１５）、Ｃ１とＣ０との比較照合結果をリーダライター５５０または画像処理装置５４０の画面上に表示の上、引き続き、必要な処理を継続した後、真贋判定作業を終了する（ステップＳ６１６）。また、Ｃ１がＣ０と異なる値であった場合には、認証が失敗したと判断し（ステップＳ６１７）、Ｃ１とＣ０との比較照合結果をリーダライター５５０または画像処理装置５４０の画面上に表示の上、処理を中止し、エラー結果を通知する等した後、真贋判定作業を終了する（ステップＳ６１８）。Ｃ１とＣ０との比較照合結果または真贋判定結果を表示するリーダライター５５０または画像処理装置５４０の表示画面は、本開示の結果出力手段の一例である。なお、本実施形態では、画像処理装置５４０が、ＩＣカード１０Ｆの画像データから取得したコードＣ１と固有コードＣ０との比較照合および真贋判定作業を実施するものとして記載しているが、これらの作業は、画像処理装置５４０とは別の情報処理装置やこれらとネットワークで接続されているサーバー等が行うこととしてもよい。
【００８２】
以上の説明のとおり、本開示の偽造防止用印刷物１０であるＩＣカード１０Ｆは、記憶手段を有するＩＣチップをさらに備え、記憶手段には、ＩＣカード１０Ｆを特定する固有データＣ０が読み出し可能に保存されており、固有データＣ０は、不規則かつユニークな絵柄パターンを電気的、光学的または磁気的な検出手段によって読み取ったときのデジタルデータと対応付けられている。また、偽造防止用印刷物１０であるＩＣカード１０Ｆの固有データＣ０を、ＩＣカード１０Ｆの不規則かつユニークな絵柄パターンを電気的、光学的または磁気的な検出手段によって読み取ったデジタルデータと比較照合することにより、ＩＣカード１０Ｆの改ざんの有無を判断することが可能である。
【実施例】
【００８３】
次に、実施例を挙げて本開示をさらに詳細に説明するが、本開示はこれら実施例に限定されるものではない。
【００８４】
（ａ）実験サンプルの作成
まず、コア層４、５として白色のＰＥＴ−Ｇシート（厚さ：０．３１ｍｍ）の２枚を使用し、オーバーシート層３、６として、透明のＰＥＴ−Ｇシート（厚さ：０．１０ｍｍ）の２枚を使用した。
【００８５】
次に、転写基材１１０として厚さ１５０μｍの２軸延伸ＰＥＴフィルムを使用し、これに、剥離層１２０としてポリメタクリル酸メチルをコーティング機により厚さ約１μｍとなるように均一に全面コーティングした。さらに、これに透明色の紫外線硬化型オフセットインキを用いて厚さ約１μｍのアンカー層１３０を形成し、ＵＶ照射により硬化させ、さらにこれに紫外線硬化型オフセットインキとして黄、赤、藍、墨の４色を重ねて絵柄印刷層１４０を形成し、ＵＶ照射により硬化させた。絵柄印刷層１４０の厚さは約１μｍであった。その後、さらに透明色の紫外線硬化型オフセットインキを用いて厚さ約１μｍのアンカー層１５０を形成した。
【００８６】
次に、アンカー層１５０の上にラメインキ層１６０を、シルクスクリーン印刷により印刷形成した。印刷には、２００メッシュ版を用い、ラメインキ層１６０の乾燥後の膜厚が約５μｍ〜７μｍとなるようにした。ラメインキ層１６０の具体的な内容は、バインダーが、株式会社セイコーアドバンス製ＡＣＴ８００メジウム（塩酢ビ系）、顔料が株式会社セイコーアドバンス製銀ペースト６０６Ｈであり、金属粒子がアルミ粉（粒径３０〜３４μｍ）である。なお、ラメインキ中の銀ペースト、メジウムおよび溶剤の各配合率を表１に従って変えた実施例１、２、３の各サンプルを作成した。
【００８７】
【表１】
2020179544.tif 000003
【００８８】
さらに、当該ラメインキ層１６０の上に隠蔽層１７０を、シルクスクリーン印刷により印刷形成した。印刷には、３５０メッシュ版を用い、隠蔽層１７０の乾燥後の膜厚（金属粒子部分を除く）が約２μｍ〜４μｍとなる条件で印刷した。隠蔽層１７０の具体的な内容は、塩酢ビ系のバインダーである昭和インク株式会社製ＶＡＨＳメジウムに、金属粒子がアルミ粉（粒径約７μｍ）、アルミ粉添加量がバインダーに対して、１０〜１２質量％となるようにした。アルミ粉はアクリル樹脂でコーティングされている。
【００８９】
以上のように転写基材１１０に形成されたユニークパターン形成部１Ａを、あらかじめ、オーバーシート層６、コア層５、コア層４およびオーバーシート層３をこの順に積み重ねた積層体に、その隠蔽層１７０がオーバーシート層３と当接するように重ねて、その上下端をステンレス板で挟み込み、これに一定温度の熱圧を一定時間掛けて熱プレした。これにより、オーバーシート層６、コア層５、コア層４およびオーバーシート層３が互いに熱融着して一体化し、かつ、オーバーシート層３の主面にユニークパターン形成部１Ａが転写形成された、熱プレス後の積層体を得た。なお、ユニークパターン形成部１Ａがない転写基材１１０は、熱プレスの温度では融着しないため、当該熱プレス後の積層体から、容易に剥がすことができた。
【００９０】
その後、熱プレス後の積層体である大判シートをカードサイズに打ち抜き加工し、長辺方向が約８６ｍｍ、短辺方向が約５４ｍｍ、厚さが約０．８ｍｍのＩＳＯ７８１０規格に準拠するカードが形成された。このカードは、第１実施形態のカード１０Ａと同等の仕様である。次に、このカードを、図９（ｂ）のように、アース処理がされたステージに載せ、静電気放電ガンのイオンが放出される先端部とカードのユニークパターン形成部１Ａとを接触させ、所定の電圧を印可して静電気放電ガンからカードに向けて放電した。また、所定の電圧は１０ｋＶから３０ｋＶまで、５ｋＶ刻みに設定して行った。放電ガンは、株式会社ノイズ研究所製の静電気試験機（ＥＳＳ−２０００）を使用し、使用しコンデンサが１５０ｐＦ、抵抗が３３０Ω、放電回数が１０回、接触箇所を１回ずつ５ｍｍ程度ずつずらしながら当該カードに対して静電気放電を行った。
【００９１】
上述の条件でカードの製造条件および静電気の放電条件を変えたサンプルを３種類作成し（実施例１、２、３）、それぞれについて、１０ｋＶから３０ｋＶまでの５ｋＶ刻みの静電気を印加する放電試験を行い、その結果を表１に記載した。なお、評価指標は下記のとおりである。
〇：絵柄にユニークパターンが発生した
△：わずかに絵柄にユニークパターンが発生したが、視認性が十分ではなかった
×：絵柄にユニークパターンが発生しなかった
【００９２】
（ｂ）静電気放電試験結果
これらの実施例１、２、３の結果より、樹脂コートがされているラメインキを使用した実施例２、３では、銀ペーストの配合比率を１５％およびこれよりも多い２０％としても静電気試験によるユニークパターンの発生は見られなかった。また、樹脂コートがされていないラメインキを使用した実施例１では、静電気が２５ｋＶ以上では良好にユニークパターンが発生することが確認できた。
【符号の説明】
【００９３】
１、１Ａ、１Ｂ、１Ｃ、１Ｄ、１Ｅ、１Ｆ  ユニークパターン形成部
２  支持体
３、６  オーバーシート層
４、５  コア層
７  紙基材
８  粘着層
９  セパレータ
１０  偽造防止用印刷物
１０Ａ  カード
１０Ｄ  粘着ラベル
１０Ｅ  冊子体
１０Ｆ  ＩＣカード
１１  保護層付きユニークパターン形成部
１２  大判シート
１３  大判シート束
１１０  転写基材
１２０  剥離層
１３０  アンカー層
１４０  絵柄印刷層
１５０  アンカー層
１６０  ラメインキ層
１６２  金属粒子
１６４  バインダー
１７０、１７５  隠蔽層
１７１  樹脂コート粒子
１７２  金属粒子
１７３  樹脂コート部
１７４  バインダー
１８０  透明保護層
１９０  欠損部
２１０  静電気放電ガン
２２０  パレット
２３０  テーブル
３１０、３２０  ページ
３３０  データページ
４１０  ＩＣモジュール
４１１  インターフェース部
４１２  ＣＰＵ
４１３  ＲＡＭ
４１４  ＲＯＭ
４１５  ＮＶＭ
４２０  カード基体
５００  ユニークパターン真贋判定システム
５１０  カメラ
５２０  光源
５３０  ステージ
５４０  画像処理装置
５５０  リーダライター
【図１】
2020179544.tif 000004
【図２】
2020179544.tif 000005
【図３】
2020179544.tif 000006
【図４】
2020179544.tif 000007
【図５】
2020179544.tif 000008
【図６】
2020179544.tif 000009
【図７】
2020179544.tif 000010
【図８】
2020179544.tif 000011
【図９】
2020179544.tif 000012
【図１０】
2020179544.tif 000013
【図１１】
2020179544.tif 000014
【図１２】
2020179544.tif 000015
【図１３】
2020179544.tif 000016
【図１４】
2020179544.tif 000017
【図１５】
2020179544.tif 000018
【図１６】
2020179544.tif 000019
【図１７】
2020179544.tif 000020